(57)【特許請求の範囲】
【請求項１】
冷蔵庫本体と、
前記本体の外郭を構成する鋼板製の側板と、
前記側板を前記本体の底面で折り曲げて形成したフランジ部と、
当該冷蔵庫を立てた状態で床を転がして移動するときに使用する当該冷蔵庫底面前コーナに設置した移動用車輪と、
当該冷蔵庫設置後に移動しないようにするストッパーと、
前記移動用車輪と前記ストッパーとを前記フランジ部に取り付けるための取り付け具と、
一対の腕部と、前記一対の腕部の間に設けられたハンドル部と、前記一対の腕部の間に設けられ、内部に空洞を有し中心部にプランジャーを備えた円柱型軸と、前記円柱型軸の前記空洞に対向して前記腕部に開けられた開口部とを有する着脱式運搬用取手装置と、
取り付け時に前記円柱型軸の前記空洞に差しこんで使用し、前記プランジャーと係合して固定される窪みを有するピンと、
前記取り付け具に設けられ、前記着脱式運搬用取手装置を取り付けるための開口部とを備え、当該冷蔵庫の運搬時に、前記着脱式運搬用取手装置の前記円柱型軸の前記空洞と、前記取り付け具の前記開口部を合わせて、該開口部に前記ピンを差しこむことにより前記着脱式運搬用取手装置を前記取り付け具に取り付けることを特徴とする冷蔵庫。
【請求項２】
前記ピンは、持ちやすくするためのリングを有することを特徴とする請求項１記載の冷蔵庫。
【発明の詳細な説明】
【０００１】
【発明の属する技術分野】
この発明は、底面に運搬用取手装置を備えた冷蔵庫に関するものである。
【０００２】
【従来の技術】
図６は、例えば実開昭５６−８８０８９号公報に示された従来の運搬用取手装置を示す冷蔵庫底面からの斜視図、図７は図６のＸ−Ｘ線断面図である。図において、１は冷蔵庫本体、２は冷蔵庫本体１の外郭を構成する鋼板製の側板、２８は冷蔵庫本体底面前側の補強桁、２６は上部に圧縮機等を設置した機械室の台板、２５は冷蔵庫本体外郭の底面を閉塞する板厚が０．３〜０．５ｍｍ程度の鋼板製の底板、１７は側板２底部の底面フランジ部２ａの内側に取り付く断面略Ｌ字状の左右一対の補強桁である。
【０００３】
また、１８は冷蔵庫内壁を形成する合成樹脂で成形された内箱、１９はその内箱１８と側板２、底板２５との間に形成された空間に充填発泡されたポリウレタン等の断熱材である。また、２０は底板２５の断熱材１９側に取り付けられた板厚が１ｍｍ前後の鋼板製のネジ板、２１は略コ字状に形成された鋼板製の運搬用取手装置の取り付け具で、この取り付け具２１の左右一対の折り曲げ辺２１ｂに設けられた抜き穴２１ｃを備え、この抜き穴２１ｃに略コ字状に鋼線を成形した運搬用取手の腕部２２を取り付けることにより回転可能としている。
【０００４】
また、２３は腕部２２に回転自在に取り付くローラである。２４は運搬取手装置の取り付け具２１を底板２５内側のネジ板２０に締結する複数個の固定ネジである。１４は左右一対の運搬用取手装置の内側に配置された冷蔵庫の熱交換器を除霜運転した際滴下してくるドレン水の蒸発装置、１４ａは高温冷媒の通る凝縮器、１５は凝縮器１４ａの上部に位置し滴下してくるドレン水を溜めて蒸発させる蒸発皿である。
【０００５】
また、１３は冷蔵庫本体１上部に位置する別の運搬用取手、４は冷蔵庫底面の前コーナに設置された移動用車輪、６は冷蔵庫設置後に用いるストッパー、７は前コーナの移動用車輪４とストッパー６を冷蔵庫底部の底面フランジ部２ａに取り付けるための取り付け具である。
【０００６】
また、運搬用取手装置はＡ方向に倒したときは、運搬用取手の腕部２２の曲げ形状２２ａにより底板２５とローラ２３の間に握る為のスペースを造ることができ、Ｂ方向に倒した場合機械室の台板２６に設けた開口部２７によりローラ２３を回転させることができる。
【０００７】
上記のような従来の冷蔵庫において、一人の運搬者が上部の運搬用取手１３を持ち、もう一人の運搬者が冷蔵庫底面にある運搬用取手の腕部２２をＡ方向に倒しローラ２３を持つことで、冷蔵庫を斜めにして持ち上げることが可能となる。また、冷蔵庫を立てた状態では移動用車輪４と、Ｂ方向に運搬取手の腕部２２を倒した状態でのローラ２３とを転がすことで、床を転がして冷蔵庫を移動させることができる。
【０００８】
【発明が解決しようとする課題】
従来の冷蔵庫は以上のように構成されているので、ドレン水を蒸発させる為の蒸発装置１４及び蒸発皿１５を小さくする必要があり、そのため冷蔵庫の凝縮器能力が低下し消費電力が増加するか、または冷蔵庫の冷却器に過大に着霜した場合の除霜運転時には蒸発皿１５から水が漏れるという問題点があった。また冷蔵庫の底板２５の厚さを考えるとネジ板２０を設置する必要があり価格が高くなるという問題点もあった。
【０００９】
この発明は、上記のような問題点を解消するためになされたもので、取手が持ちやすく、運搬性が向上とすると共に、取手部分が省スペース化された運搬用取手装置を備えた冷蔵庫を提供することを目的とする。
【００１０】
【課題を解決するための手段】
この発明に係る冷蔵庫は、本体の底面に一端が回転自在に支持され他端が回転可能な取手部を有し、取手部は未使用時には本体の底面に収納されると共に、運搬時には取手部の他端を引き起こして使用するものである。
【００１１】
また、取手部は未使用時にはバネにより自動収納されるものである。
【００１２】
また、取手部は本体から着脱自在としたものである。
【００１３】
また、本体を立てた状態で取手部は本体から着脱自在としたものである。
【００１４】
また、取手部には床への傷付けを防止するため保護部材が取付けられているものである。
【００１５】
【発明の実施の形態】
実施の形態１．
以下、この発明の実施の形態１を図面を参照して説明する。
図１〜３は実施の形態１を示す図で、図１は着脱式運搬用取手装置が取り付けられた冷蔵庫の斜視図、図２は着脱式運搬用取手装置の斜視図、図３は着脱式運搬用取手装置の冷蔵庫本体への取り付け方法を示す部分拡大図である。
【００１６】
図において、１は冷蔵庫本体、２は冷蔵庫本体１の外郭を構成する鋼板製の側板、２ａは冷蔵庫底面で側板２を折り曲げたフランジ部、３は冷蔵庫底面に設けられた着脱式運搬用取手装置、４は冷蔵庫を立てた状態で床を転がして移動するときに使用する冷蔵庫底面前コーナに設置した移動用車輪、５は冷蔵庫底面後コーナに設置した移動用車輪、６は冷蔵庫設置後に移動しないようにするストッパー、７は移動用車輪４とストッパー６とをフランジ部２ａに取り付けるための取り付け具である。
【００１７】
取り付け具７に開口部７ａ（図３に示す）を設け、この部分に着脱式運搬用取手装置３を設置可能にしたものである。また、２６は上部に圧縮機等を設置した機械室の台板、２８は冷蔵庫底面前側の補強桁である。
【００１８】
図２において、８は床を傷つけ無いように保護部材で保護された運搬者が手で持つハンドル部、９、１０は着脱式運搬用取手装置３の腕部である。腕部９、１０の間に、内部に空洞１１ａを有し中心部にプランジャー１１ｂを備えた円柱型軸１１を装備し、この円柱型軸１１の空洞１１ａに対向して腕部９、１０にも開口部が開けられている。
【００１９】
また、取り付け時に空洞１１ａに差しこんで使用し、バネにより突出し収納可能なボールが係止するプランジャー１１ｂと用意された窪み１２ａにより固定されるピン１２を用いる。ピン１２には持ちやすいようにリング１２ｂが装備されている。
【００２０】
また、腕部９、１０は、図３のＡ方向に引き起こした際９０度近くで取付具７の底面に当接しストップするように、ハンドル部８と反対側の端部９ａ、１０ａに平坦部が設けられている。
【００２１】
上記のように構成された冷蔵庫運搬用取手装置においては、図３に示すように、着脱式運搬用取手装置３の円柱型軸１１の空洞１１ａと、移動用車輪４とストッパー６の取り付け具７の開口部７ａを合わせて、ここにピン１１を差しこむことにより着脱式運搬用取手装置３をストッパー６と移動用車輪４を冷蔵庫の側板２の底面フランジ部２ａに設置するための取り付け具７に設置できる。
【００２２】
運搬時には、ハンドル部８をＡ方向に引き起こして一人の運搬者が持ち、他の運搬者が冷蔵庫本体１の上部にある左右一対の運搬用取手１３を持つことで運搬が可能となる。
【００２３】
また、移動用車輪４、５によって作られる床と底面フランジ部２ａとの間で設置が可能である為、冷蔵庫を立てた状態で設置が可能である。
【００２４】
また、取外しが可能で補強材を特別に用意する必要が無い為、冷蔵庫底部にある高温冷媒の通る凝縮器１４ａ等から構成されるドレン水の蒸発装置１４やドレン水の蒸発皿１５のスペースを圧迫しない。
【００２５】
また、運搬者が持参することで冷蔵庫個々に装備する必要無く、省資源コストダウンにつながる。
【００２６】
実施の形態２．
以下、この発明の実施の形態２を図面を参照して説明する。
図４，５は実施の形態２を示す図で、図４は自動収納式運搬用取手装置が取り付けられた冷蔵庫の斜視図、図５は自動収納式運搬用取手装置の冷蔵庫本体への取り付け方法を示す部分拡大図である。
【００２７】
上記実施の形態１では、運搬用取手装置３を取外し可能としたが、冷蔵庫の移動用車輪４、５によって作られる床との間のスペースに収まるような自動収納式運搬用取手装置１６を取り付けることによって、側板２底部の底面フランジ部２ａおよびその部分の冷蔵庫内側に配置している左右一対の補強桁１７に開口部２ｂ、ネジ穴２ｃをあけ、開口部２ｂに自動収納式運搬用取手装置１６の端部１６ａを嵌め、ネジ１８をネジ穴２ｃに取り付けることにより自動収納式運搬用取手装置１６が底面フランジ部２ａに設置される。
【００２８】
また、取手部分１６ｂはＡ方向に引き起こして使用されるが、取手部分の軸１６ｃ内部にバネを設置することにより使用後自動的にＢ方向に収納される。
【００２９】
上述の実施の形態によれば、取手部分は未使用時にはバネにより自動収納されるので、設置スペースをとらずに操作性を向上させることができる。
【００３０】
【発明の効果】
この発明に係る冷蔵庫は、本体の底面に一端が回転自在に支持され他端が回転可能な取手部を有し、取手部は未使用時には本体の底面に収納されると共に、運搬時には取手部の他端を引き起こして使用する構成にしたので、取手が持ちやすく、運搬性が向上とすると共に、取手部分が省スペース化できる。
【００３１】
また、取手部は未使用時にはバネにより自動収納されるので、設置スペースをとらずに操作性を向上させることができる。
【００３２】
また、取手部は本体から着脱自在としたので、補強材を特別に用意する必要が無い為、冷蔵庫底部にあるドレン水の蒸発装置や蒸発皿のスペースを圧迫しない。
【００３３】
また、本体を立てた状態で取手部は本体から着脱自在としたので、着脱作業が容易にできる。
【００３４】
また、取手部には床への傷付けを防止するため保護部材が取付けられているので、床を傷つける恐れが少ない。
【図面の簡単な説明】
【図１】  実施の形態１を示す図で、着脱式運搬用取手装置が取り付けられた冷蔵庫の斜視図である。
【図２】  実施の形態１を示す図で、着脱式運搬用取手装置の斜視図である。
【図３】  実施の形態１を示す図で、着脱式運搬用取手装置の冷蔵庫本体への取り付け方法を示す部分拡大図である。
【図４】  実施の形態２を示す図で、自動収納式運搬用取手装置が取り付けられた冷蔵庫の斜視図である。
【図５】  実施の形態２を示す図で、自動収納式運搬用取手装置の冷蔵庫本体への取り付け方法を示す部分拡大図である。
【図６】  従来の運搬用取手装置が取り付けられた冷蔵庫の斜視図である。
【図７】  図６Ｘ−Ｘ線断面図である。
【符号の説明】
１  冷蔵庫本体、３  着脱式運搬用取手装置、７  取り付け具、７ａ  開口部、８  ハンドル部、９，１０  腕部、１１  円柱型軸、１２  ピン、１６  自動収納式運搬用取手装置。
【図１】
0004180231.tif 000002
【図２】
0004180231.tif 000003
【図３】
0004180231.tif 000004
【図４】
0004180231.tif 000005
【図５】
0004180231.tif 000006
【図６】
0004180231.tif 000007
【図７】
0004180231.tif 000008